(57)【要約】  本開示は、導電性部分と外側面とを備えた保護対象部品を接地させる部品であって、保護対象部品上の装着位置に装着されることが可能な部品に関する。一部の実施形態において、接地部品は、上記外側面と対向する第１の位置付け構成要素と、上記外側面に対して垂直な面と対向する第２の位置付け構成要素であって、接地部品は、上記外側面に対して垂直である、保護対象部品の他の面に対する完全に自由なアクセスを残している、第２の位置付け構成要素と、導電性でありかつ上記導電性部分と接触可能な第１の接触手段と、導電性でありかつ別の部品の少なくとも１つの導電性部分と接触可能な第２の接触手段とを備え、第１及び第２の接触手段は電気的に接触している。【選択図】  図１
2017515268.tif 000002
【特許請求の範囲】
【請求項１】
保護対象部品と呼ばれる少なくとも１つの電子部品を電気的に接地させる部品であって、前記保護対象部品が、少なくとも１つの導電性部分と、機器の外側から少なくとも部分的にアクセス可能であるように意図された、外側面と呼ばれる少なくとも１つの面とを備え、前記保護対象部品が前記機器内に取り付けられると、前記接地する部品が、前記保護対象部品上の少なくとも１つの装着位置に装着されることが可能であり、
前記電気接地部品が、
前記保護対象部品の前記外側面と対向する前記装着位置に位置付けられることが可能である第１の位置付け構成要素と、
前記保護対象部品の前記外側面に対して垂直な面と対向する前記装着位置に位置付けられることが可能である少なくとも１つの第２の位置付け構成要素であって、前記接地部品が、前記外側面に対して垂直である前記保護対象部品の他の面に対する完全に自由なアクセスを残している、前記少なくとも１つの第２の位置付け構成要素と、
導電性であり、かつ、前記保護対象部品が前記機器内に取り付けられたときに前記装着位置において前記保護対象部品の前記導電性部分と接触可能な第１の接触手段と、
導電性であり、かつ、前記保護対象部品が前記機器内に取り付けられたときに前記装着位置において別の部品の少なくとも１つの導電性部分と接触可能な第２の接触手段と、
を備え、
前記第１及び第２の接触手段が互いに電気的に接触していることが可能であることを特徴とする、前記電気接地部品。
【請求項２】
前記電気接地部品が、前記保護対象部品の前記外側面に対して平行な面と対向する前記装着位置に位置付けられることが可能な少なくとも１つの第３の位置付け構成要素を更に備えていることを特徴とする、請求項１に記載の電気接地部品。
【請求項３】
前記第１、第２及び／又は第３の位置付け構成要素が、前記保護対象部品上の前記装着位置において前記電気接地部品を保持できる保持手段を構成していることを特徴とする、請求項１又は２に記載の電気接地部品。
【請求項４】
前記保持手段が、前記接地部品を前記装着位置において前記保護対象部品に固定可能な固定手段を備えていることを特徴とする、請求項３に記載の接地構成要素。
【請求項５】
前記第１、第２及び／又は第３の位置付け構成要素が、前記部品の移動を、その装着位置において、少なくとも１つの移動方向において制限することが可能であることを特徴とする、請求項１から４のいずれか１項に記載の電気接地部品。
【請求項６】
前記第１の位置付け構成要素が、前記装着位置において、前記保護対象部品の前記外側面に配置された開口へのアクセスを可能にすることができることを特徴とする、請求項１から５のいずか１項に記載の電気接地部品。
【請求項７】
前記第２の接触手段が少なくとも１つのタブを備えていることを特徴とする、請求項１から６のいずれか１項に記載の接地部品。
【請求項８】
前記電気接地部品が、前記第１及び／又は第２の接触手段を、前記装着位置において、前記導電性部分に対して押し付け続けることが可能である、接触の信頼性を強化する少なくとも１つの手段を備えていることを特徴とする、請求項６または７に記載の接地部品。
【請求項９】
前記位置付け構成要素及び／又は前記第１の接触手段が、少なくとも１つの標準的な保護対象部品と協働可能であることを特徴とする、請求項１から８のいずれか１項に記載の接地部品。
【請求項１０】
前記接地部品が、少なくとも部分的に、前記保護対象部品上への前記接地部品の挿入を可能にするのに十分な前記接地部品の変形を可能にすることができる材料から作られていることを特徴とする、請求項１から９のいずれか１項に記載の接地部品。
【請求項１１】
前記接地部品が、少なくとも部分的に、弾性ステンレス鋼から作られていることを特徴とする、請求項１から１０のいずれか１項に記載の接地部品。
【請求項１２】
前記接地部品が、複数の電子部品を同時に保護できることを特徴とする、請求項１から１１のいずれか１項に記載の接地部品。
【請求項１３】
前記部品が単一の部品として形成されていることを特徴とする、請求項１から１２のいずれか１項に記載の接地部品。
【請求項１４】
保護対象部品と呼ばれる少なくとも１つの電子部品を備えている電子基板であって、前記保護対象部品は少なくとも１つの導電性部分を備えており、前記電子基板が、請求項１から１４のいずれか１項に記載の前記電子部品を電気的に接地させる少なくとも１つの部品を更に備えていることを特徴とする、前記電子基板。
【請求項１５】
保護対象部品と呼ばれる少なくとも１つの電子部品を備えている電子機器であって、前記保護対象部品は少なくとも１つの導電性部分を備えており、前記機器は、請求項１から８のいずれか１項に記載の前記電子部品を電気的に接地させる少なくとも１つの部品を更に備えており、前記第２の接触手段が接触できる前記別の部品が前記電子機器内に装着されていることを特徴とする、前記電子機器。
【発明の詳細な説明】
【技術分野】
【０００１】
本開示の分野は、電子機器又は電気機器の分野であり、更に詳しくは、そのような機器に備え付けられるように意図された電子部品又は電気部品の電気接地の分野である。
【背景技術】
【０００２】
電気部品又は電子部品は、これらを破損し得る静電気的又は電磁的な干渉、例えば静電気放電（electrostatic discharge: ESD）による損傷を受け易い場合が多い。このような静電気放電は、相異なる電位を有する物体相互間で起こり得る。更に、電磁的な及び／又は電波的な障害が、部品相互間に生じた不要電流によって生じ得る。
【０００３】
従って、従来技術の解決手段は、電子部品及び／又は電気部品をこのような干渉から保護することに努めた。一部の解決手段は、これらの部品を電気的に接地することに本質がある。この方法によって、部品は、それが属する基板又は機器の動作の期間中に、継続的に放電でき、それによって、静電気の電荷の蓄積が防止される。
【０００４】
既存の解決手段の１つ（一般的に、「グラウンディング・ラグ（grounding lug）（接地端子）」と呼ばれている）は、例えば、電子基板の金属パネル（或いは、前面）の内側表面上で、保護すべき部品の挿入箇所の近くに、タブを取り付けることに本質がある。
【０００５】
このタブは、その柔軟性によって、金属パネルの内側表面とタブとの間に配置されるべき部品が挿入される際に、その部品を通すことができる。しかしながら、この解決手段には幾つかの欠点があり、特に、このタブは、部品を電子基板上に装着する前に、少なくとも、保護すべき部品の近傍に取り付ける必要があり、それ故、電子基板の実装回路図のその後の補正又は修正が制限されることになる。更に、部品の挿入時に、タブを不正確に位置付ける危険性がある。特に、このタブは、部品の非導電性部分上に位置付けられることがあり、従って、効果がないことがあり、或いは、部品の壊れ易い部分の上に置かれることもある。例えば、ＵＳＢ（ユニバーサル・シリアル・バス）コネクタのような電子コネクタの場合には、タブが、そのコネクタに貫入して、コネクタの内部の構成要素、例えば、ピン又は接触子に寄り掛かる恐れがある。タブは、接触を保証するための或る程度の硬さ、及び／又は、或る程度の厚さを必要とするので、挿入時に、コネクタの壊れ易い部分に対するタブの圧迫によって、その壊れ易い部分に損傷（例えば、コネクタの内部の構成要素の表面の引き裂き、変形、及び／又は、変質）が生じ得る。
【０００６】
従って、従来技術の解決手段よりも更に効果的な解決手段が必要である。
【発明の概要】
【０００７】
本開示は、幾つかの実施形態において、従来技術の解決手段よりも更に信頼性が高く、且つ、更に実施が容易な方法を提案することによって、現状を改善することを可能にする。
【０００８】
更に具体的には、本開示は、保護対象部品と呼ばれる少なくとも１つの電子部品を電気的に接地させる部品であって、保護対象部品が、少なくとも１つの導電性部分と、機器の外側から少なくとも部分的にアクセス可能であるように意図された、外側面と呼ばれる少なくとも１つの面とを備え、保護対象部品が機器内に取り付けられると、上記接地部品が、保護対象部品上の少なくとも１つの装着位置に装着されることが可能である、上記接地部品に関する。
【０００９】
一態様によれば、上記電気接地部品は、
保護対象部品の外側面と対向する装着位置に位置付けられることが可能である第１の位置付け構成要素と、
保護対象部品の外側面に対して垂直な面と対向する装着位置に位置付けられることが可能である少なくとも１つの第２の位置付け構成要素であって、接地部品は、外側面に対して垂直である保護対象部品の他の面に対する完全に自由なアクセスを残している、第２の位置付け構成要素と、
導電性であり、かつ、保護対象部品が機器内に取り付けられたときに装着位置において保護対象部品の導電性部分と接触可能な第１の接触手段と、
導電性であり、かつ、保護対象部品が機器内に取り付けられたときに装着位置において別の部品の少なくとも１つの導電性部分と接触可能な第２の接触手段と、
を備え、
第１及び第２の接触手段は、互いに電気的に接触していることが可能である。
【００１０】
保護対象部品は、特に、電子コネクタであってもよく、例えば、雄型コネクタの挿入用に設計された開口を備えた雌型コネクタであってもよい。
【００１１】
保護対象部品の面に「対向する」位置付け構成要素は、特に、その面に対して実質的に平行な平面内に配置されている構成要素、或いは、例えば９０度に近い入射角でその面に寄り掛かり、角のある表面を形成している構成要素であってもよい。
【００１２】
別の部品とは、ここでは、電子機器の一部を形成することができ、かつ、導電性部分を備えることができる任意のハードウェア部品を意味すると解される。この別の部品は、特に、電子機器の電気接地箇所に接続されることが可能な部品であってもよく、その電気接地箇所は、例えば、機器の筐体の裏面又は正面、電子基板の金属パネルの裏面又は正面、電子基板のＰＣＢ（プリント回路基板）の裏面又は正面、或いは、上記電子部品以外であって、同じ電子機器に属し、かつ／又は、同じ電子基板上に保護対象部品として実装され、かつ、同じく電気接地手段を有する第２の部品の裏面又は正面である。
【００１３】
特定の一特徴によれば、電気接地部品は、保護対象部品の外側面に対して平行な面と対向する装着位置に位置付けられることが可能な少なくとも１つの第３の位置付け構成要素を備えている。
【００１４】
特定の一特徴によれば、第１、第２及び／又は第３の位置付け構成要素は、保護対象部品上の装着位置において電気接地部品を保持できる保持手段を構成している。
【００１５】
特定の一特徴によれば、第１、第２及び／又は第３の位置付け構成要素は、部品の移動を、その装着位置において、少なくとも１つの移動方向において制限できる。
【００１６】
特定の一特徴によれば、保持手段は、接地部品を装着位置において保護対象部品に固定できる固定手段を備えている。
【００１７】
特定の一特徴によれば、保持手段は、装着位置に滑り込ませることによる挿入用の手段を備えている。
【００１８】
特定の一特徴によれば、保持手段は、クリッピングによる挿入用の手段を備えている。
【００１９】
特定の一特徴によれば、第１の位置付け構成要素は、装着位置において、保護対象部品の外側面に配置された開口へのアクセスを可能にすることができる。
【００２０】
特定の一特徴によれば、電気接地部品は、第１及び／又は第２の接触手段を、装着位置において、導電性部分に対して押し付け続けることが可能である、接触の信頼性を強化する少なくとも１つの手段を備えている。
【００２１】
特定の一特徴によれば、電気接地部品は、電子機器内に装着されるように意図された電子基板のパネルに備え付けられた保護対象部品上に装着されることが可能である。
【００２２】
特定の一態様によれば、位置付け構成要素及び／又は第１の接触手段は、少なくとも１つの標準的な保護対象部品と協働可能である。
【００２３】
特定の一態様によれば、位置付け構成要素及び／又は第１の接触手段は、データの入力及び／又は出力を可能にすることができる通信インタフェースを備えた少なくとも１つの保護対象部品、例えば、オーディオ及び／又はビデオのコネクタと協働できる。
【００２４】
特定の一態様によれば、位置付け構成要素及び／又は第１の接触手段は、
・ＵＳＢコネクタ、
・マイクロＵＳＢコネクタ、
・ミニＵＳＢコネクタ、
・ＨＤＭＩ（登録商標）コネクタ、
・ＩＥＥ１３９４コネクタ
を含むグループに属する少なくとも１つの保護対象部品と協働できる。
【００２５】
特定の一特徴によれば、電気接地部品は、少なくとも部分的に、これに弾性を与えることができる材料、特に、保護対象部品上への接地部品の挿入を可能にするのに十分な接地部品の変形を可能にすることができる材料、から作られている。
【００２６】
特定の一特徴によれば、上記材料は、少なくとも４５０ＭＰａの、例えば５２０ＭＰａ程度の最小破壊応力を有する。
【００２７】
特定の一特徴によれば、上記材料は、少なくとも１８０ＭＰａ、例えば２０５ＭＰａ程度において０.２％の伸び率に対応する弾性限度を有する。
【００２８】
特定の一特徴によれば、上記材料は、少なくとも３０％、例えば４０％程度の弾性伸び（これを超えると破壊が生じる）を有する。
【００２９】
特定の一特徴によれば、上記材料は、少なくとも５０％、例えば６０％程度の収縮で破壊が生じる。
【００３０】
特定の一特徴によれば、上記材料は、０.３ｍｍ以下、例えば０.２ｍｍ程度の厚さを有する。
【００３１】
特定の一特徴によれば、上記材料は弾性鋼である。
【００３２】
特定の一特徴によれば、上記材料は、ＪＩＳ（日本工業規格）に従うＳＵＳ３０１タイプの弾性鋼である。
【００３３】
特定の一特徴によれば、電気接地部品は、単一の部品として形成されている。
【００３４】
特定の一特徴によれば、接部品は、複数の電子部品を同時に保護できる。
【００３５】
明示的には説明されていないが、ここに提示された実施形態は、任意の組み合わせ又は部分的組み合わせによって、実施できる。例えば、電気接地部品１００を位置付ける構成要素が、スライディング（滑らせること）による挿入の手段を備えた保持手段を構成する実施形態を、これらの保持手段が、クリッピング（留めること）による挿入の手段、及び／又は、固定手段を備えた実施形態、及び／又は、上記位置付け構成要素、及び／又は、第１の接触手段が、少なくとも１つのＵＳＢコネクタと協働できる実施形態、と組み合わせることができる。
【００３６】
当業者が本説明を読むことによって容易に考案できるその他の実施形態も本開示の範囲内に含まれる。
【００３７】
別の態様によれば、本開示は、保護対象部品と呼ばれる少なくとも１つの電子部品を備えている電子基板に関し、保護対象部品は、少なくとも１つの導電性部分を備えている。
【００３８】
特定の一態様によれば、上記のような電子基板は、上述の態様の何れか１つの態様による、電子部品を電気的に接地させる少なくとも１つの部品を更に備えている。
【００３９】
他の態様によれば、本開示は、保護対象部品と呼ばれる少なくとも１つの電子部品を備えている電子機器に関し、保護対象部品は、少なくとも１つの導電性部分を備えている。機器は、電子基板、例えば、記保護対象部品が装着された電子基板も備えていてもよい。
【００４０】
特定の一態様によれば、上記のような機器は、上述の態様の何れか１つの態様による、電子部品を電気的に接地させる少なくとも１つの部品を更に備えており、第２の接触手段が接触できる別の部品は電子機器内に装着されている。
【００４１】
上記のような機器は、特に、通信ネットワークへのアクセス・ゲートウェイ、復号器（セット・トップ・ボックス）、或いは、コンピュータ、例えばＰＣ（パーソナル・コンピュータ）であり得る。
【００４２】
当然、本開示は、電気的にアクセス可能な導電性部分を備えた任意の電子部品の保護に適合し、該部品は、例えば、電子基板、及び／又は、電子機器、すなわち、網羅的な列挙ではないが、例えば、ラップトップ・コンピュータ、オフィス用コンピュータ、コンピューティング・サーバ、電話機、ビデオ処理機器、音響機器、或いは、照明用機器内に装着されるように意図され得る。
【図面の簡単な説明】
【００４３】
下記の添付図面を参照する、特定の実施形態に関する以下の詳細な説明を読むと、本開示がより良く理解され、その他の固有の特徴及び利点が明確になるであろう。
【図１】特定の一実施形態による電気接地部品の斜視図を示す図である。
【図２】図１に示された実施形態と整合する特定の一実施形態による、電子基板に備え付けられたＵＳＢコネクタ上に装着された、装着位置における、図１の部品の斜視図を示す図である。
【図３Ａ】図２に示された電気接地部品、ＵＳＢコネクタ、及び、電子基板の側面図を示す図である。
【図３Ｂ】図２に示された電気接地部品、ＵＳＢコネクタ、及び、電子基板の軸方向の断面図を示す図である。
【図４】別の特定の一実施形態による電気接地部品の斜視図を示す図である。
【図５Ａ】電子基板に備え付けられたＵＳＢコネクタ上に装着された、装着位置における、図１に示された実施形態とは別の実施形態における電気接地部品の斜視図を示す図である。
【図５Ｂ】図５Ａに示された電気接地部品、ＵＳＢコネクタ、及び、電子基板の側面図を示す図である。
【００４４】
全ての図において、同じ構成要素は、同じ参照記号によって明示されている。
【００４５】
これらの図は、単に例示目的のためのものであり、決して本開示を図示の実施形態に限定するものではない。
【発明を実施するための最良の形態】
【００４６】
本開示の概要の原理を図１に関して提示する。少なくとも１つの実施形態において、少なくとも１つの導電性部分を備えた少なくとも１つの電子部品（すなわち、保護対象部品）上に装着して、この保護対象部品を電気的に接地できる電気接地部品１００を提案する。
【００４７】
本開示の一実施形態によれば、本部品は、保持手段を形成しており、且つ、本部品を装着位置における保護対象部品上に取り付けることを可能にする位置付け構成要素１７０，１２０を備えており、更に、本部品は、保護対象部品がこの装着位置に取り付けられた場合に、この保護対象部品の電気的な接地を可能にするために、少なくとも第１及び第２の電気的に接続された電気接触手段（すなわち、接触構成要素）１１０，１２２，１３２，１４０を介する、保護対象部品の導電性部分と別の部品の別の導電性部分との電気接触を確保することができる。
【００４８】
この電気接地部品が第１の接触手段１２２を介して接触を確立できる保護対象部品の導電性部分は、例えば、保護対象部品の筐体の外側表面に配置でき、この上にこの電気接地部品が少なくとも１つの接触点１２２の箇所で寄り掛かる。
【００４９】
保護対象部品以外の部品と電気接触を確立できる第２の接触手段は、特に、電子機器、例えば、この保護対象部品が取り付けられる電子機器の筐体の内側又は外側の表面との接触を可能にすることができる。上記表面は、特に、例えば、電子機器とサード・パーティ機器（例えば、ラップトップ・コンピュータに属するＵＳＢポートを保護する場合のＵＳＢキー）との組み付けを可能にする開口が設けられた、電子機器の後部、側部又は正面部に位置する面の表面であり得る。場合によっては補完的な実施形態となり得る別の実施形態において、第２の接触手段１３２は、電子基板、特に、保護対象部品を組み込んだ基板の金属パネルとの電気接触の確立を可能にすることができる。このような実施形態は、例えば、電子基板のパネルからアクセス可能なコネクタ、或いは、基板のパネルの近くに実装されるコネクタの保護に適している。また、第２の接触手段１４０も、電子基板のＰＣＢ（Printed Circuit Board（プリント回路基板））の縁端部の導電性表面との接触を可能にすることができ、或いは、同じ電子機器に属し、及び／又は、保護対象部品として同じ電子基板上に実装され、且つ、電気接地手段も有する、上記電子部品以外である別の部品の導電性表面との接触を可能にすることができる。この別の部品は、特に、保護対象部品の近くに実装される部品であり得る。従って、ＵＳＢコネクタの保護に適合化された電気接地部品の場合では、この第２の接触手段は、特に、このＵＳＢコネクタの近傍にある少なくとも１つの別のコネクタ（すなわち、同じくＵＳＢタイプの、或いは、別のタイプのコネクタ）との電気接触を確立することが可能であり得る。
【００５０】
次に、特定の一実施形態に従う電気接地部品１００を図１と図２に関して更に詳しく提示する。
【００５１】
図示の部品１００は、特に、ＵＳＢプラグ又はＵＳＢキーの挿入用に設計された開口２１２を１つの面（正面又は外側面と呼ぶ）に備えた、図２に示されたＵＳＢコネクタ２１０の電気接地に適合化されている。この図示の電気接地部品は、その他の部品、例えば、標準規格のＵＳＢコネクタ又はＨＤＭＩ（登録商標）コネクタと同様の形状及び／又は寸法を有する部品、の電気接地にも適合化できる。
【００５２】
図示の特定の一実施形態において、部品１００は、導電性の物質、例えば、金属、特に弾性ステンレス鋼から完全に単一の部品として作られている。
【００５３】
その他の実施形態において、特に、電気接地部品１００が複数の構成要素から成る組み立て部品である場合、互いに電気的に接続された一部の構成要素のみが導電性であっても良い。
【００５４】
図１と図２に示された実施形態において、本部品１００は、電気接地部品の第１の位置付け構成要素を形成しており、且つ、装着位置におけるＵＳＢコネクタ２１０の開口２１２の周囲に位置付けできるフレーム１７０と、電気接地部品の第２の位置付け構成要素を形成しており、且つ、開口２１２が設けられたコネクタの面に実質的に垂直な面に接触するように位置付けできるリターン１２０とを備えている。
【００５５】
その他の実施形態において、このリターン（例えば、熊手（rake）の形状を有する）は、全てが、例えば、同じ平面内に配置されており、且つ、全てが、開口２１２が設けられたコネクタの面に実質的に垂直な単一の同じ面に接触するように位置付けできる複数の第２の位置付け構成要素を備えることができる。
【００５６】
図示の特定の実施形態において、フレーム１７０は、特に、側部１４０，１５０，１６０を備えている。従って、フレーム１７０は、特に、側部１４０と、側部１５０及び１６０を備えた留め構成要素１１０とによって、電気接地部品１００をその装着位置に保持することを可能にすることができる。一部の側部１５０，１６０は、特に、例えば、ラグ（出張り）又はリム（縁）の形状を取ることができる留め構成要素１１０（これらの構成要素も、例えば、図示の実施形態において電気接触手段を形成する）を備えることができる。
【００５７】
従って、図１と図２に示された実施形態において、このフレームの一部の側部１４０，１５０，１６０は、電気接地部品１００の移動の自由を少なくとも１つの移動方向で制限するために、導電性構成要素、例えば、リム２１４，２１６，２１８，２２０と、或いは、コネクタが装着される電子基板の導電性構成要素と、協働することができる。例えば、図１と図２を参照すると、留め構成要素１１０は、電気接地部品１００が電子基板２３０から離れることを防止でき、保持手段１７０，１２０は、電気接地部品１００が傾くことを防止できる。
【００５８】
一部の実施形態において、特に、電気接地部品が、この電気接地部品が保護対象部品から離れることを防止できる留め手段を備えていない（特に、ＵＳＢコネクタがＵＳＢプラグ用の挿入ランプ（挿入傾斜路）を形成するリムを備えていないので、留め手段１１０が機能を果たさず、従って、使用されない）場合に、電気接地部品を保持する手段は、コネクタの開口面に平行な面に対向して位置付けできる、図５Ａと図５Ｂに示されたような第３の位置付け構成要素５００を備えることができ、例えば、開口２１２が配置されたコネクタの面と反対側の面に接触できる位置付け構成要素を備えることができる。この第３の位置付け構成要素は、特に、湾曲部５０２、或いは、平坦な表面を有することができ、この湾曲部５０２、或いは、平坦な表面も電気接触手段を構成できる。このような実施形態によって、特に、電気接地部品１００がモバイル機器に取り付けられる場合に、接触手段５０２を保護対象部品２１０の対応する導電性部分に対して押し付け続けることが可能になり、また、物理的接触を衝撃に影響され難くする均一な接触表面を得ることが可能になる。
【００５９】
電気接地部品が「Ｌ」字の形状である図１から図４に示された実施形態、或いは、電気接地部品がＵ字形状であり、開口面に垂直な単一の側壁を有する図５Ａと図５Ｂに関して述べた実施形態（「Ｕ」字の３番目のブランチ（分岐）が、コネクタの裏面上に、上記単一の垂直な壁のリターン（折り返し）によって、形成される）のような実施形態によって、ＵＳＢコネクタの電子基板上への実装後であっても、その実装が水平方向であっても垂直方向であっても、電気接地部品をそのＵＳＢコネクタ上に容易に位置付けできるという利点が得られる。実際、電気接地部品がコネクタに対して垂直に（例えば、電子基板の回路に垂直な移動方向で）挿入できるので、挿入の容易さは、コネクタの向きによっては、或いは、基板上にコネクタの近傍で実装されたその他の部品の存在によっては、殆ど影響されない。
【００６０】
図示の特定のケースにおいて、すなわち、保護対象部品２１０が、リム付きの実質的に平坦な開口２１２を備えており、且つ、電気接地部品１００が、ある程度の柔軟性を有する材料（例えば、弾性ステンレス鋼、特にタイプＳＵＳ３０１のステンレス鋼）から作られているケースにおいて、電気接地部品１００は、これをコネクタ２１０の開口２１２の周囲にクリッピング（clipping）することによって、挿入できる。すなわち、図２に関して更に容易に分かるように、電気接地部品１００を、例えば、開口２１２の近くに移動させることによって、フレーム１７０を開口２１２の平面に実質的に平行な平面内に配置でき、リターン１２０をコネクタ２１０の実質的に垂直な面に対して実質的に平行な平面内に配置できる。次に、電気接地部品１００を更に近くに移動させることによって、フレーム１７０をリム２１４，２１６，２１８，２２０に押し付ける。更に、少し強く押すことによって、留め構成要素１１０及び／又はフレーム１７０の側部１４０をコネクタ２１０のリム２１４，２１６，２１８，２２０の（コネクタの開口を基準にしての）背面上に位置付けることができる。
【００６１】
特に図４に示されたような本開示の一部の実施形態において、電気接地部品１００を保持する手段は、この電気接地部品１００をその装着位置に滑り込ませて挿入することに適合化できる。
【００６２】
図示されているように、本部品を保持する一部の手段は、本部品１００のある程度の自由な移動を可能にすることができる。従って、このような実施形態によって、本部品のより簡単な取り付けが可能になり、或いは、種々のモデルのコネクタに対する適合化が可能になり、或いは、同じタイプであるが、例えば製造許容誤差により寸法が若干異なるコネクタに対する適合化が可能になる。
【００６３】
その他の実施形態において、この保持手段は、装着位置における電気接地部品１００の移動を一切許さないこともある。このような保持手段は、例えば、電気接地部品１００を保護対象部品２１０に接合できる固定手段（例えば、ねじ、ファスナ、及び／又は、圧着構成要素）によって、構成できる。
【００６４】
次に、本部品１００の電気接触手段を、主に図２、図３Ａ及び図３Ｂに関して、提示する。図３Ａ及び図３Ｂは、共に、図２の電気接地部品１００、ＵＳＢコネクタ２１０、及び、電子基板を示している。
【００６５】
図３Ａは、図２に示された視点２００から見た、図２の構成要素の側面図である。図３Ｂは、図２に示されたＡ―Ａ’軸に沿う軸方向の断面図である。
【００６６】
電気接地部品１００は、保護対象部品との電気接触用の第１の手段１２２と、その他の部品との電気接触用の第２の手段１３２，１４０とを備えている。これらの電気接触は、特に、保護対象部品の導電性部分と、或いは、電気接地部品１００の装着位置におけるその他の部品の導電性部分と継続的に接触できる、保持手段１７０，１２０の一部分上に位置付けできる。また、これらの電気接触は、電気接地部品１００の、保持手段として働かない部分上にも位置付けできる。
【００６７】
図示の実施形態において、電気接地部品１００は、特に、リターン１２０に配置された第１の電気接触手段１２２を備えており、この第１の電気接触手段１２２は、リターン１２０と対向して配置される、コネクタ２１０の開口２１２に実質的に垂直な該コネクタの面と電気的に及び機械的に接触できる。図示の特定の実施形態において、本部品１００は、タブ１３０を備えており、このタブ１３０は、本部品１００の取り扱いを容易にし、また、第２の電気接触手段１３２を備えている。このタブの長さをより長くすれば、或いは、より短くすれば、場合によっては調節可能にすれば、管理対象部品からの距離がより長い、或いは、より短い別の部品との電気接触の確立も可能になる。換言すれば、このタブによって、位置変え接触手段の実施が可能になる。
【００６８】
この第２の電気接触手段は、特に、電気接地部品１００が、その装着位置において、電子基板のパネルからアクセス可能なコネクタ上に位置付けられた時に、該パネルの内側面と接触できる。
【００６９】
側部１４０も電気接触手段を構成でき、場合によっては補完的な電気接触手段を構成できる。
【００７０】
一部の実施形態において、電気接地部品１００の単一の構成要素が、保護対象部品２１０と別の部品の両方との電気接触を可能にすることができる。例えば、電気接地部品１００が備え付けられた保護対象部品が、電子基板２２０の縁部に取り付けられた場合に、側部１４０は、コネクタ２１０のリム２１６及び２１８と該電子基板のプリント回路基板の縁部２３０の両方に接触できる。
【００７１】
一部の実施形態において、フレーム１７０は、特に、該フレームがその装着時にリム２１６及び２１８の外側に位置付けられることを保証するように設計された、図５Ａに示された中央隆起表面５１０を備えることができる。
【００７２】
当然、電気接地部品１００の第１及び第２の接触手段は複数個にでき、それによって、例えば、特に電気接地部品１００の信頼性を高めるために複数の電気的ブリッジ（電気的橋）の確立が可能になり、或いは、電気接地部品１００を、種々の形状の保護対象部品に適合化すること、及び／又は、電子基板上での特に保護対象部品の多様な実施に適合化すること、が可能になる。
【００７３】
一部の実施形態において、接触手段１２２，１３２を担う構成要素の形状は、該接触手段１２２，１３２と保護対象部品又は別の部品の対応する導電性部分との物理的接触をより良くできるように適合化できる。
【００７４】
例えば、図３Ａ、図３Ｂ及び図５Ｂの特定の実施形態において明らかに分かるように、側部１５０と１６０、タブ１３０、リターン１２０、及び、第３の位置付け構成要素５００は、湾曲部１２２，１３２，１４２，５０２を備えることができ、このことによって、接触手段１２２，１３２，１４２，５０２が、保護対象部品又は別の部品の対応する導電性部分を継続的に押し続けることができる。更に、接触手段１２２，１３２を、端部ではなく湾曲部又は平坦な表面に位置付けることによって、均一で、場合によっては、より大きい接触表面を得ることができ、且つ、例えば、電気接地部品１００がモバイル機器（例えば、電話、ゲームパッド、モバイルＰＣなど）用である場合に、その物理的表面を衝撃に影響され難くすることができる。
【００７５】
電気接地部品１００は、挿入を容易にする手段、例えばリターン１２０の湾曲端部１２４及びタブ１３０の湾曲端部１３４も備えることができ、これらは、本部品を装着位置に向けて導くことに貢献できる。更に、電気接地部品がパンチング（打抜き）によって作成される場合、その切断領域に、本部品の装着時のスライディング（滑り）を妨げる恐れのあるバリが生じ得る。従って、これらの端部を湾曲させることによって（この場合、接触領域は移動する）、本部品のより良好なスライディング（滑り）を可能にして、従って、その挿入を容易にすることができる。
【００７６】
一部の実施形態において、特に、電気接地部品１００が、その装着位置で、電子基板のパネルからアクセス可能なコネクタ上に位置付けられる実施形態において、電気接地部品１００の形状は、例えば、保護対象部品とパネルとの間での電気接地部品１００の位置付けを可能にするために、本部品の、パネルの方に向いた側面に比較的平坦な面を有するように選ぶことができる。
【００７７】
場合によっては補完的な実施形態となり得る別の実施形態において、特に、電気接地部品１００が、その装着位置で、電子基板のパネル又は該電子基板の周辺部に装着されたコネクタ上に位置付けられ、且つ、該電子基板が、一部の寸法が該電子基板の寸法に近い機器内に取り付けられるように設計されている実施形態において、電気接地部品１００の形状は、例えば、該基板と該機器の壁との間で利用可能な空間が限られている場合であっても該基板を該機器に挿入できるようにするために、本部品の、パネルの方に向いた側面に比較的平坦な面を有するように選ぶことができる。
【００７８】
一部の実施形態において、例えば図１に示された実施形態に適合する一部の実施形態におけるように、本接地部品は、保護対象部品を収容するように設計された特定のレセプタクル（receptacle：受口）の使用を必要とせずに、或いは、備え付けるべき電子基板上に（例えば、穴のような）特定のアンカリング（anchoring：留め）手段の存在を必要とせずに、任意の部品及び／又は電子基板上で使用できる。
【００７９】
例示の実施形態において、本開示の電気接地部品は、単一の保護対象部品上に装着されるように設計されている。その他の実施形態において、本電気接地部品は、例えば、１組の複数の保護対象部品に備え付けることによって、同時に複数の部品を保護するように設計できる。この場合、本電気接地部品は、例えば、装着位置で保持手段を介して複数の保護対象部品のうちの１つに装着でき、これらの保護対象部品の各々と接触する第１の手段を備えることができる。また、本電気接地部品は、同じく複数の保護対象部品上に装着でき、且つ、本電気接地部品を保持する手段は、複数の保護対象部品上に少なくとも部分的に位置付けできる。
【００８０】
本開示の少なくとも一部の実施形態によって、少なくとも１つの標準規格部品タイプに適合できる部品を得ることが可能になる。
【００８１】
本開示の少なくとも一部の実施形態によって、複数のタイプの保護対象部品に、特に相異なるサイズ及び／又は形状の部品に適合できる、及び／又は、同一部品上の複数の装着位置に装着できる部品を得ることが可能になる。更に、ここに提案した解決手段によって、少なくとも一部の実施形態において、電子機器の製造後であっても（例えば、静電荷問題がその電子機器の使用中に検出されたことに因る）、或いは、電子基板上への部品の実装後であっても、少なくとも１つの保護対象部品上に少なくとも１つの電気接地部品を取り付けることが可能になる。特に、ここに提案した解決手段によって、設計及び／又は製造のエラー及び／又は不正確さを補正する、例えば、電子基板の視覚的又は電気的検査時に検出された問題を補正することが可能になる。このように、視覚的検査によって、特に電子基板のパネルの製造許容誤差に因る、部品と該パネルの縁端部との接触の欠如に気付くことができ、従って、その保護対象部品上に本開示に従う少なくとも１つの電気接地部品を装着する必要性に気付くことができる。
【００８２】
特に、一部の実施形態に従えば、保護対象部品が電子基板上に１つ又は複数の実装位置において実装された後に、この保護対象部品上に電気接地部品を取り付けることが可能になる。特に、これが当て嵌まり得る場合は、この電気接地部品が、一旦電子基板が機器内に取り付けられた後に、例えば、この機器の外側から少なくとも部分的にアクセス可能なままであるように設計された保護対象部品の、「外側面」と呼ばれる面に対して垂直な該保護対象部品の面のうちの１つの面と対向するように配置された単一の位置付け構成要素を備えている場合（例えば、位置付け構成要素がＬ字を形成する場合、或いは、コネクタの開口面（すなわち、外側面）上に位置付けできる位置付け構成要素に対して垂直である、リターン１２０以外の壁が電気接地部品に存在しない場合）である。
【００８３】
同じく複数の実装位置での使用に適合化された一変形実施形態において、本電気接地部品は、複数の位置付け構成要素を備えることができ、それらの全てが、保護対象部品の外側面に対して垂直である、該保護対象部品の単一の同じ面と対向して配置される。この外側面は、特に電子基板の周辺部に配置され得る。
【００８４】
このように、一部の実施形態において、本電気接地部品は、例えば、矩形の開口を備えた電子コネクタに備え付けることができ、その際、そのコネクタは、その開口の長さが電子基板の平面と平行であるようにして、電子基板上に実装されていてもよいし、或いは、その開口の長さが電子基板の平面に対して垂直であるようにして、基板上に実装されていてもよい（すなわち、換言すれば、そのコネクタは、基板を基準にして垂直方向に又は水平方向に実装されていてもよい）。本電気接地部品の装着位置は、例えば、保護対象部品の周りの、基板の占拠に従って、及び／又は、該部品へのアクセスの容易さに従って、規定し得る。
【００８５】
また、電気接地部品の装着が保護対象部品の実装後に行われる本開示のこのような実施形態によって、重要な時間及び／又はコストの制約に適合化された、特に固有の開発を回避する解決手段も得られる。例えば、このような実施形態によって、別のハードウェアの開発用に規定された既存のパネルを再利用することが可能になり、従って、基板の物理的な設計段階において相対的な節約が可能になる。
【００８６】
更に、一部の実施形態に従えば、例えば、第１及び／又は第２の接触手段が、多数の電気的接点である、或いは、大きい表面積を有する場合、大きい電気接触表面が可能になり、従って、従来技術の解決手段よりも更に信頼性の高い解決手段を得ることが可能になり、従って、良好なＥＳＤ結果が得られる。
【図１】
2017515268.tif 000003
【図２】
2017515268.tif 000004
【図３Ａ】
2017515268.tif 000005
【図３Ｂ】
2017515268.tif 000006
【図４】
2017515268.tif 000007
【図５Ａ】
2017515268.tif 000008
【図５Ｂ】
2017515268.tif 000009
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
少なくとも１つの導電性部分を備えた少なくとも１つの電子部品（２１０）を電気的に接地させる接地部品（１００）において、該接地部品（１００）は、
前記電子部品（２１０）の外側面上に位置付けられるように適合化された第１の位置付け構成要素（１７０）であって、前記外側面が、前記電子部品が機器内に取り付けられると、該機器の外側から少なくとも部分的にアクセス可能であるように意図されている、前記第１の位置付け構成要素（１７０）と、
前記電子部品（２１０）の前記外側面に隣接する面上に位置付けられるように適合化された第２の位置付け構成要素（１２０）と、
導電性であり、かつ、前記電子部品（２１０）の前記導電性部分と接触するように適合化された第１の接触手段（１１０，１２０）と、
導電性であり、かつ、前記電子部品が前記機器内に取り付けられたときに前記機器の別の部品の少なくとも１つの導電性部分と接触するように適合化された第２の接触手段（１３０）と、
を備え、
前記第１の接触手段（１１０）と前記第２の接触手段（１３０）とが互いに電気的に接触するように適合化されており、
前記接地部品（１００）が、前記外側面に隣接する、前記電子部品（２１０）の他の面に対する完全に自由なアクセスを残すように適合化されていることを特徴とする、前記接地部品。
【請求項２】
前記接地部品（１００）が、前記電子部品（２１０）の、前記外側面に対する裏面上に位置付けられるように適合化された少なくとも１つの第３の位置付け構成要素（５００）を備えていることを特徴とする、請求項１に記載の接地部品（１００）。
【請求項３】
前記第１の位置付け構成要素（１７０）、前記第２の位置付け構成要素（１２０）及び／又は前記第３の位置付け構成要素（５００）が、前記接地部品が前記電子部品（２１０）上に装着されたときに、前記接地部品（１００）の移動を少なくとも１つの移動方向において制限するように適合化されていることを特徴とする、請求項１又は２に記載の接地部品（１００）。
【請求項４】
前記第１の位置付け構成要素（１７０）が、前記電子部品（２１０）の前記外側面に配置された開口（２１２）へのアクセスを可能にするように適合化されていることを特徴とする、請求項１から３のいずれか１に記載の接地部品（１００）。
【請求項５】
前記接地部品（１００）が、前記第１の接触手段（１１０，１２０）を前記電子部品の前記導電性部分に対して押し付け続けるように、及び／又は、前記第２の接触手段（１３０）を前記機器の別の部品の前記導電性部分に対して押し付け続けるように適合化された、接触の信頼性を強化する少なくとも１つの手段（１２２，１３２，１４２）を備えていることを特徴とする、請求項１から４のいずれか１項に記載の接地部品。
【請求項６】
前記第１の位置付け構成要素、前記第２の位置付け構成要素、前記第３の位置付け構成要素及び／又は前記第１の接触手段が少なくとも１つの標準的な電子部品と協働するように適合化されていることを特徴とする、請求項１から５のいずれか１項に記載の接地部品。
【請求項７】
前記接地部品が、少なくとも部分的に、前記電子部品（２１０）上への前記接地部品（１００）の挿入を可能にするのに十分な前記接地部品の変形を可能にするのに適した材料から作られていることを特徴とする、請求項１から６のいずれか１項に記載の接地部品。
【請求項８】
前記接地部品（１００）が、少なくとも部分的に、弾性ステンレス鋼から作られていることを特徴とする、請求項１から７のいずれか１項に記載の接地部品（１００）。
【請求項９】
前記接地部品が単一の部品として形成されていることを特徴とする、請求項１から８のいずれか１項に記載の接地部品（１００）。
【請求項１０】
前記接地部品（１００）が、同一電子部品上の複数の装着位置に装着されるように適合化されていることを特徴とする、請求項１から９のいずれか１に記載の接地部品（１００）。
【請求項１１】
少なくとも１つの導電性部分を備えた少なくとも１つの電子部品（２１０）を備えている電子基板において、該電子基板が、前記電子部品を電気的に接地させる少なくとも１つの接地部品（１００）を備えており、該接地部品（１００）が、
前記電子部品（２１０）の外側面上に位置付けられるように適合化された第１の位置付け構成要素（１７０）であって、前記外側面が、前記電子基板が機器内に取り付けられると、該機器の外側から少なくとも部分的にアクセス可能であるように意図されている、前記第１の位置付け構成要素（１７０）と、
前記電子部品（２１０）の前記外側面に隣接する面上に位置付けられるように適合化された第２の位置付け構成要素（１２０）と、
導電性であり、かつ、前記電子部品（２１０）の前記導電性部分と接触するように適合化された第１の接触手段（１１０，１２０）と、
導電性であり、かつ、前記電子基板が前記機器内に取り付けられたときに前記機器の別の部品の少なくとも１つの導電性部分と接触するように適合化された第２の接触手段（１３０）と、
を備え、
前記第１の接触手段（１１０）と前記第２の接触手段（１３０）とが互いに電気的に接触するように適合化されており、
前記接地部品（１００）が、前記外側面に隣接する、前記電子部品（２１０）の他の面に対する完全に自由なアクセスを残すように適合化されていることを特徴とする、前記電子基板。
【請求項１２】
少なくとも１つの導電性部分を備えた少なくとも１つの電子部品を備えている電子機器において、該電子機器が、前記電子部品（２１０）を電気的に接地させる少なくとも１つの接地部品（１００）を備えており、該接地部品（１００）が、
前記電子部品（２１０）の外側面上に位置付けられるように適合化された第１の位置付け構成要素（１７０）であって、前記外側面が、前記電子機器の外側から少なくとも部分的にアクセス可能であるように意図されている、前記第１の位置付け構成要素（１７０）と、
前記電子部品（２１０）の前記外側面に隣接する面上に位置付けられるように適合化された第２の位置付け構成要素（１２０）と、
導電性であり、かつ、前記電子部品（２１０）の前記導電性部分と接触するように適合化された第１の接触手段（１１０，１２０）と、
導電性であり、かつ、前記電子機器の別の部品の少なくとも１つの導電性部分と接触するように適合化された第２の接触手段（１３０）と、
を備え、
前記第１の接触手段（１１０）と前記第２の接触手段（１３０）とが互いに電気的に接触するように適合化されており、
前記接地部品（１００）が、前記外側面に隣接する、前記電子部品（２１０）の他の面に対する完全に自由なアクセスを残すように適合化されていることを特徴とする、前記電子機器。
【請求項１３】
前記接地部品（１００）が、前記電子部品（２１０）の前記外側面に対する裏面上に位置付けられるように適合化された少なくとも１つの第３の位置付け構成要素（５００）を備えていることを特徴とする、請求項１２に記載の電子機器。
【請求項１４】
前記第１の位置付け構成要素（１７０）が、前記電子部品（２１０）の前記外側面に配置された開口（２１２）へのアクセスを可能にするように適合化されていることを特徴とする、請求項１２又は１３に記載の電子機器。
【請求項１５】
前記接地部品（１００）が、前記電子機器の複数の電子部品を同時に保護するように適合化されていることを特徴とする、請求項１２から１４のいずれか１項に記載の電子機器。
【国際調査報告】
2017515268.tif 000010
2017515268.tif 000011